【事件の表示】
　特願２０１３−　１３１９１「高速パケットアクセス通信において多重搬送波を利用する方法と装置」拒絶査定不服審判事件〔平成２５年　７月１１日出願公開，特開２０１３−１３８４５１〕について，次のとおり審決する。
【結　論】
　本件審判の請求は，成り立たない。
【理　由】
第１　手続の経緯
　本願は，２００９年１０月３１日（パリ条約による優先権主張外国庁受理　２００８年１０月３１日　米国）を国際出願日とする出願である特願２０１１−５３４８３４号の一部を，平成２５年１月２８日に新たな特許出願としたものであって，平成２６年１０月１０日に最後の拒絶理由が通知され，平成２７年２月２３日付けで手続補正がなされたが，同年４月２８日付けで補正の却下の決定がされるとともに同日付けで拒絶査定がされ，これに対し，同年９月１４日に拒絶査定に対する審判請求がなされるとともに同日付けで手続補正がなされたものである。その後，審査官が同年１１月１９日付けで作成した前置報告書に対して，平成２８年２月２４日付けで上申書が提出された。
第２　補正却下の決定
［結論］
　平成２７年９月１４日付けの手続補正を却下する。
　
［理由］
１　本願発明と補正後の発明
　平成２７年９月１４日付けの手続補正（以下，「本件補正」という。）は，平成２６年７月７日付け手続補正書により補正された特許請求の範囲の請求項１に記載された
「無線送受信装置（ＷＴＲＵ）において実行される，多重搬送波を利用する方法であって，前記方法は，
　前記ＷＴＲＵを介して，第１のダウンリンク搬送波上の制御チャネルを監視するステップと，
　第２のダウンリンク搬送波上でデータを受信するために前記第１のダウンリンク搬送波上の前記制御チャネルを介して表示を受信するステップであって，前記第１のダウンリンク搬送波および前記第２のダウンリンク搬送波は，ＣＱＩ報告に対する異なるサブフレーム設定により特徴付けられる，ステップと，
　前記受信した表示に応答して，前記第２のダウンリンク搬送波上で前記データを受信することを決定するステップと，
　前記第２のダウンリンク搬送波上で前記データを受信するステップと
　を備えたことを特徴とする方法。」
という発明（以下，「本願発明」という。）を，
「無線送受信装置（ＷＴＲＵ）において実行される，多重搬送波を利用する方法であって，前記方法は，
　前記ＷＴＲＵを介して，第１のダウンリンク搬送波上の制御チャネルを監視するステップと，
　第２のダウンリンク搬送波上でデータを受信するために前記第１のダウンリンク搬送波上の前記制御チャネルを介して
メッセージ
前記第２のダウンリンク搬送波は制御チャネルを含み，前記メッセージは前記第２のダウンリンク搬送波の搬送波番号を明示的に示す複数のビットを含み，
　前記受信した
メッセージ
　前記第２のダウンリンク搬送波上で前記データを受信するステップと
　を備えたことを特徴とする方法。」（［当審注］：下線部は補正箇所を示す。）
という発明（以下，「補正後の発明」という。）に変更することを含むものである。
２　補正の適否
（１）新規事項の有無，シフト補正の有無，補正の目的要件
　上記補正は，(i) 本願発明の「表示」を「メッセージ」に限定するとともに，(ii)第２のダウンリンク搬送波について「前記第２のダウンリンク搬送波は制御チャネルを含み，前記メッセージは前記第２のダウンリンク搬送波の搬送波番号を明示的に示す複数のビットを含み」との限定を付して，特許請求の範囲を減縮するものである。
　独立請求項である請求項７についての補正も，請求項１の補正と同様である。
　請求項３，４，９，１０についての補正も，上記(i) の補正と同様である。
　請求項１１についての補正は，より読み易くするために「前記データ」の位置を変更するものであり，誤記の訂正を目的とするものといえる。
　また，特許法第１７条の２第３項，第４項に違反するところはない。
（２）独立特許要件
　請求項１についての上記補正は，特許請求の範囲の減縮を目的とするものであるから，補正後の発明が特許出願の際独立して特許を受けることができるものであるのか否かについて，以下検討する。
ア　補正後の発明
　補正後の発明は，上記「１　本願発明と補正後の発明」の項の「補正後の発明」のとおりのものと認める。
イ　引用発明及び周知事項
［引用発明］
　原査定の拒絶の理由に引用された国際公開第２００６／１２６０７９号（以下，「引用例」という。）には，「EXPANDED SIGNALLING CAPABILITY FOR NETWORK ELEMENT, USER EQUIPMENT AND SYSTEM」（［当審仮訳］：ネットワーク要素，ユーザ装置及びシステムのための拡張信号方式）（［当審注］：当審仮訳は，引用例のパテントファミリーである特表２００８−５４６２６８号公報の記載に基づいて合議体が作成した。また，引用例の記載箇所を示す際には，当該公表公報の段落番号を援用した。）に関し，図面とともに以下の事項が記載されている。
（ア）「2. Discussion of Related Art
　　In further evolution of mobile communications, for example, in the WCDMA (Wideband Code Division Multiple Access) system, all services could be implemented with HSDPA (High Speed Downlink Packet Access)/HSUPA (High Speed Uplink Packet Access) (including real time (RT) services which uses a very short duration frame (transmission time interval or TTI)). Also, traditionally circuit-switched services are moving into the packet-switched domain. Although disclosed in the context of the current mobile communications environment, the present invention is not limited thereto but should be broadly seen as applicable to future evolution thereof as well.
　　Even though only one frequency need be used, a UMTS operator has multiple 5 MHz frequency blocks available for implementing packet-switched services in the WCDMA system. It is foreseen that different numbers of DL and UL carriers may be in use simultaneously to meet potentially asymmetric capacity needs.
　　Spectrum efficiency and flexible use of available spectrum will be elements of cost efficient future solutions. Efficient usage of available radio resources in the DL direction requires fast and dynamic allocation of DL carriers to different users when multiple DL carriers are available in a system. The current WCDMA deployment plans do not provide a signalling scheme/signal structure to enable fast allocation of HSDPA carriers from a pool of multiple DL carriers. WCDMA has not had multi-carrier solutions so far.
（中略）
　　The HS-SCCH is used to signal parameters of the high speed data shared channel (HS-DSCH). One of the major parameters is the user equipment identifier (UE ID) which indicates which user equipment should decode the HS-DSCH. Currently only one UE ID is allocated per user equipment (according to the current specifications). The parameters and the frame structure of the HS-SCCH is fixed.
　　The existing structure of the HS-SCCH (High Speed Shared Control Channel) is specified for HSDPA in TS 25.211 and TS 25.212 of the 3GPP WCDMA specification, where a number of bit fields are reserved for signalling to the UE.　（中略）　There is currently no room in the HS-SCCH signalling structure as defined in the 3GPP specifications to indicate the frequency carrier or some other new Ll/MAC parameters that may be needed or possible.
（中略）
　　Provisioning for more efficient use of DL (downlink) signalling resources could be achieved by providing some new, different HS-SCCH structures for DL HSDPA signalling. For example, for some transmissions on HS-PDSCH not all the specified fields are needed, potentially new signalling could be added, or a smaller number of bits would be enough for some of the currently existing HS-SCCH fields. Specifying another HS-SCCH structure in a later release of the 3GPP specifications is possible, but this would have to be a different HS-SCCH with redesigned coding, puncturing, error detection, etc. Just adding a new HS-SCCH to the system also brings the problem of the UE knowing which HS-SCCH structure it is to receive with. On the other hand, as suggested above, there may be multiple reasons for introducing new signalling structures in WCDMA, such as VoIP services and so on.
　　In view of the fact that HSDPA will be widely deployed for packet switched traffic in the near future and the need for enhancements of HSDPA, along with enhancements for the signalling, such as some new Ll/MAC parameters, there would naturally be a desire to avoid changes to the high speed shared control channel (HS-SCCH). The present invention proposes how these new parameters could be signalled without changing the HS-SCCH structure or how the existing HS- SCCH signalling could be adapted to perform signalling using different signalling structure in a backwards compatible way, i.e., so as to be consistent with the existing HS-SCCH structure.」（１〜４ページ）
（［当審仮訳］：
【背景技術】
【０００２】
　例えばＷＣＤＭＡ（広帯域符号分割多元接続）システムなどの更に進化した移動体通信においては，すべてのサービスはＨＳＤＰＡ（高速ダウンリンクパケット接続）又はＨＳＵＰＡ（高速アップリンクパケット接続）（非常に短いフレーム（送信時間間隔すなわちＴＴＩ）を用いるリアルタイム（ＲＴ）サービスを含む）を用いて実現できる。また従来の回線交換サービスは，パケット交換領域に移行しつつある。本発明は現行の移動体通信環境を踏まえて開示されているが，それに限定するものではなく，将来の進化形態にも同様に適用されるものとして広く考えることが望ましい。
【０００３】
　ＵＭＴＳ運用事業者は，ＷＣＤＭＡシステムにおいてパケット交換サービスを実現するためにただ１つの周波数を用いるだけでよいが，複数の５ＭＨｚ周波数ブロックが利用できる。潜在的に非対称な通信容量への要求に合わすため，異なる数のダウンリンク（ＤＬ）搬送波及びアップリンク（ＵＬ）搬送波が同時に用いられることが予知される。
【０００４】
　スペクトラム効率及び利用できるスペクトラムを柔軟に使用できることが，費用効率のよい将来の解決策の要素になると考えられる。ＤＬ方向の利用可能な無線資源を効率的に利用するためには，システムにおいて複数のＤＬ搬送波が利用可能なとき，別々の利用者にＤＬ搬送波を高速かつ動的に割り当てる必要がある。現行のＷＣＤＭＡ展開計画では，複数のＤＬ搬送波プールからＨＳＤＰＡ搬送波を高速に割り当てることができる信号方式又は信号構造体は提供されていない。ＷＣＤＭＡは今のところ多搬送波の解決策を有していない。
（中略）
【０００６】
　ＨＳ−ＳＣＣＨは，高速ダウンリンク共有チャネル（ＨＳ−ＤＳＣＨ）のパラメータを通知するために用いられる。主要パラメータの１つはユーザ装置識別子（ＵＥ ＩＤ）であって，どのユーザ装置が当該ＨＳ−ＤＳＣＨを復号するかを示す。現在は（現行の仕様によって）ユーザ装置当たりただ１つのＵＥ ＩＤだけが割り当てられる。各パラメータ及びＨＳ−ＳＣＣＨのフレーム構造は固定である。
【０００７】
　ＨＳ−ＳＣＣＨの既存の信号構造体は，３ＧＰＰ ＷＣＤＭＡ仕様TS 25.211及びTS 25.212において，ＨＳＤＰＡについて規定されている。ここでいくつかのビットフィールドは，ＵＥへの信号通知のために予約されている。　（中略）　現在３ＧＰＰ仕様に規定されているＨＳ−ＳＣＣＨ信号構造体には，搬送周波数，若しくは必要又は可能ないくつかのほかの新規Ｌ１／ＭＡＣパラメータを指示する余裕がない。
（中略）
【０００９】
　ＤＬ信号通知資源のより効率的な利用は，ＤＬ ＨＳＤＰＡ信号方式に，いくらかの新規な，別のＨＳ−ＳＣＣＨ構造体を提供することによって達成することができる。例えば，ＨＳ−ＰＤＳＣＨ上のいくらかの送信に関して，必ずしも全部の規定されたフィールドは必要ではないか，潜在的に新規な信号方式を追加するか，又は現存するＨＳ−ＳＣＣＨフィールドのいくつかにはより少ない数のビットで十分である。３ＧＰＰ仕様の後のリリースにおいて別のＨＳ−ＳＣＣＨ構造体を規定することは可能であるが，これは，再設計された符号化，分割，エラー検出，などを有する別のＨＳ−ＳＣＣＨとする必要がある。システムに新規なＨＳ−ＳＣＣＨを追加するだけでは，ＵＥがどのＨＳ−ＳＣＣＨ構造体を使って受信するかを知る必要があるという問題も引き起こす。反対に上述のように，ＶｏＩＰサービス等のようにＷＣＤＭＡに新規信号構造体を導入する複数の理由がある。
【００１０】
　パケット交換情報，及びいくらかの新規なＬ１／ＭＡＣパラメータのような信号方式の強化と共に，ＨＳＤＰＡを強化する必要性の観点で，ＨＳＤＰＡが近い将来広く展開するであろうことを予想して，ＨＳ−ＳＣＣＨへの変更を避けたい要望は当然あるだろう。本発明は，ＨＳ−ＳＣＣＨ信号構造体を変えることなくこれら新規パラメータを通知する方法，又は後方互換，すなわち既存のＨＳ−ＳＣＣＨ信号構造体に一致するように，既存ＨＳ−ＳＣＣＨが別の信号方式を用いて信号通知を行うように修正する方法，について提案する。）
（イ）「In the 3GPP WCDMA system the base station (Node B) is a network element that sends signalling (control) information on four different high speed shared control channels (HS-SCCHs) although more than four are possible. The HS-SCCHs are sent in parallel during the same recurring time interval, e.g., during a two millisecond transmission time interval (TTI). The HS-SCCHs are sent over the whole cell or parts thereof for monitoring by various user equipment (UEs) which may be present in the cell. During this time that UEs are sending back periodic (for instance every ten milliseconds) channel quality indicator (CQI) signals to the Node B. The control information for a given UE, according to the prior art, is contained in one and only one of the four parallel HS-SCCHs. If a UE is able to check all four HS-SCCHs, it tries to find the HS-SCCH intended for it by checking its UE identifier in one of the four possible channels. When it detects the UE ID unique to itself in the first part of the HS-SCCH, it then reads the rest of the information in the second part of the HS-SCCH in question in order to be able to properly process information contained in digital samples extracted from the HS-PDSCH (High Speed Physical Downlink Shared Channel) which arrives a short time later. The parameters needed to demodulate and decode (channelization code-wise) the physical channel are contained in the first part of each TTI, i.e., in the first third of the two millisecond transmission time interval used for the HS-SCCH. The two millisecond TTI is broken down into three equal duration slots, the first part being one slot in duration (two thirds of a millisecond) and the second part being two slots in duration (four thirds of a millisecond) and containing information needed to further process the demodulated and decoded information. The HS-PDSCH frame begins after the first part of the HS-SCCH.
　　According to the present invention, more than one UE identifier can be allocated or assigned for one UE and each identifier indicates which signaling structure is being used in a given transmission time interval, or it indicates some new parameter value, or both.
　　If, according to one embodiment, more than one UE ID is allocated or assigned for one UE and the UE ID indicates which HS-SCCH frame structure is being used in the current TTI, it is in this way possible to dynamically change between different structures. For instance, if we have a need for different HS-SCCH structures such as a first structure optimized for VoIP and another structure for normal traffic such as what has already been specified for other services, then two UE IDs could be allocated or assigned according to the invention for the single UE, one for VoIP and the other for everything else. When the Node B sends a VoIP packet to the UE, it would use the UE ID allocated for VoIP usage and the UE would know based on the UE ID that now (in the current TTI) the HS-SCCH structure is the new VoIP optimized structure. And for other data, the other UE ID and HS-SCCH frame structure would be used.」（６〜７ページ）
（［当審仮訳］：
【００１７】
　３ＧＰＰ ＷＣＤＭＡシステムにおいて，基地局（ノードＢ）は信号通知（制御）情報を４つの異なる高速共有制御チャネル（ＨＳ−ＳＣＣＨ）に送信する。４以上でも可能である。ＨＳ−ＳＣＣＨは，例えば２ｍｓ送信時間間隔（ＴＴＩ）など，同一の反復する時間間隔で並行して送信される。ＨＳ−ＳＣＣＨは，セルに存在する種々のユーザ装置（ＵＥ）が監視できるようにセル全体又はその一部に送信される。このときＵＥは，ノードＢに周期的に（例えば１０ｍｓごと）チャネル品質指示子（ＣＱＩ）信号を返送する。先行技術によれば，特定のＵＥについての制御情報は，４つの並行するＨＳ−ＳＣＣＨのうちただ１つに含まれる。ＵＥが４つすべてのＨＳ−ＳＣＣＨを検査できるときは，４つの可能性のあるチャネルの１つにおいてＵＥ識別子を検査することによって，自分にあてたＨＳ−ＳＣＣＨを見付けようとする。ＨＳ−ＳＣＣＨの第１部分で自分に唯一のＵＥ ＩＤを検出したときは，わずかに後から到着するＨＳ−ＰＤＳＣＨ（高速物理ダウンリンク共有チャネル）から抽出したデジタルサンプルに含まれる情報を適切に処理できるように，当該ＨＳ−ＳＣＣＨの第２部分を読み込む。物理チャネルを復調して（チャネル化符号単位で）復号するために必要なパラメータは，各ＴＴＩの第１部分，すなわちＨＳ−ＳＣＣＨに用いられる２ｍｓの送信時間間隔の最初の１／３，に含まれる。２ｍｓＴＴＩは３つの均等な期間スロットに分割され，第１部分は期間（２／３ｍｓ）中に１スロット，第２部分は期間中２スロット（４／３ｍｓ）であり，復調し復号した情報を更に処理するために必要な情報を含んでいる。ＨＳ−ＰＤＳＣＨフレームはＨＳ−ＳＣＣＨの第１部分の後から始まる。
【００１８】
　本発明によれば，２以上のＵＥ識別子を１つのＵＥに割り当てる，すなわち指定することができ，各識別子は特定の送信時間間隔にどの信号構造体が用いられているかを示すか，又はある新規パラメータ値を示すか，又はその双方を示す。
【００１９】
　一実施例によれば，２以上のＵＥ ＩＤが１つのＵＥに割り当てられ，すなわち指定され，かつＵＥ ＩＤが現在のＴＴＩにどのＨＳ−ＳＣＣＨフレーム構造が使われているかを示すとき，この方法によって構造体を動的に変更することができる。例えば，ＶｏＩＰに最適化された第１構造体と，別のサービスに既に指定されたもののような通常情報用の別の構造体と，のような異なるＨＳ−ＳＣＣＨ構造体の要望があるとき，本発明によってＵＥ ＩＤを１つのＵＥに，ＶｏＩＰ用に１つ及びそれ以外用にもう１つ，割り当てる，すなわち指定することができる。ノードＢがＵＥにＶｏＩＰパケットを送信したとき，ＵＥはＵＥ ＩＤを用いて現在（現在のＴＴＩにおいて），ＨＳ−ＳＣＣＨ構造体が今や新規なＶｏＩＰに最適化した構造体であることを示す。そしてほかのデータに関しては，もう１つのＵＥ ＩＤ及びＨＳ−ＳＣＣＨフレーム構造体が用いられる。）
（ウ）「Figure 2 tries to show that depending on the UE ID based mask used for HS-SCCH Part 1 indicates which structure (A, B or C) is used for HS-SCCH Part 2. For instance, A could be the currently specified structure (including the specified parameters and their value ranges and interpretation as well as the channel coding), B could be a new structure specified, e.g., for VoIP (as explained above), C could be a new structure specified, e.g., for multicarrier transmission. Then three different UE IDs would be allocated for a single UE if that UE is supposed to receive normal (current spec) HS-SCCH transmission, VoIP transmissions and multicarrier transmissions. If some UE only receives normal transmissions, then only one UE ID would be allocated for it. 
　　Another embodiment of the present invention involves using the same frame structure as already defined in the specifications for the HS-SCCH (same parameters with the same value ranges and same channel coding) but to use the UE E) to indicate some new parameter value, e.g., frequency carrier for multicarrier system or stream ID for multistream MIMO or additional HARQ process IDs. The frequency carrier or stream ID examples are new parameters while the additional HARQ process IDs example is an extension of the value range of an existing parameter. For instance, if we have a multicarrier system with four carriers, then each multicarrier UE would be allocated for UE IDs. Then, depending on which carrier/band is used to send data for this UE, the corresponding UE ID is being used. This can for instance be done explicitly or implicitly.
　　Thus, this embodiment of the invention uses the same frame structure for the HS-SCCH as presently specified with the same parameters and with the same value ranges and the same channel coding. However, the different UE IDs are used to indicate some new parameter values.
 
A) Explicit method (see Figure 3A):
　　Fig. 3 A presents an implementation A for fast carrier assignment, where the DL carrier band (A(Core), B, C, or D) is explicitly indicated as embedded information that HS-SCCH carries; it presents the UE ID indicating the frequency carrier/band.
　　In Fig. 3A, UE ID number 1 is used for explicitly indicating band D, UE ID number 2 for explicitly indicating band C, etc. In this way, there is no need to change the HS-SCCH frame structure to be able to send some new parameter or to extend the value range of some parameter while at the same time having the ability to allocate more than one UE ID for one UE so that it is possible to dynamically change between different parameters used for different transmission time intervals (TTIs). 
　　Thus, the DL HS-SCCH carries information embedded in it explicitly indicating the frequency band (for instance A (Core), B, C, or D) where the UE will receive the high speed physical downlink shared channel (HS-PDSCH). After the UE deciphers the embedded information it can start receiving signal on a DL carrier different from the core carrier. In such a case, a UE ID could indicate that HS-SCCH uses 'multicarrier' structure. This could for instance mean that the Part 1 carries frequency carrier info instead of modulation and channelization code info. This would enable the possibility that the UE could start buffering the data at the indicated frequency band (carrier). The 'multicarrier' structure could further mean that Part 2 is transmitted together with the data on the new carrier. If there are a maximum of four frequency carriers, then two bits are needed to indicate the carrier frequency. Then only six bits were left for modulation scheme and channelization code set. This could be enough if the other data carriers (DO-DSCH=data only downlink shared channel) were assumed to be allocated for high bit rates only (no need to indicate, e.g., single codes). The other possibility is that part of that information is sent in Part 2 together with other parameters. It is also possible that all the HS-SCCH information is sent core band, as shown in Fig. 3. Then the UE has to be able to receive simultaneously on multiple bands: HS-SCCH on core band and the data channel (DO-DSCH) on the other band and the band to be used for the data transmission is determined by the UE id used on HS-SCCH.
　　Another explicit signaling method is depicted in Figure 3B. Here an explicit DL carrier parameter is added to HS-SCCH, preferably in the Part 1 which is sent before the data channel (DO-DSCH). This implies that the HS-SCCH frame structure or the parameter fields need to be changed. The changed HS-SCCH structure can be told to the UE, e.g., by RRC signaling. Thus only one UE id is needed in this case. UE would normally detect and decode HS-SCCH channels and when it finds HS-SCCH with matching UE id mask, it reads the parameters from HS-SCCH. Now, the new parameter for DL carrier sent on HS-SCCH would tell the band to be used for data transmission/reception.」（１７〜１９ページ）
（［当審仮訳］：
【００３３】
　図２は，ＨＳ−ＳＣＣＨ第１部分に用いられるＵＥ ＩＤを主体とするマスクによって，信号構造体（Ａ，Ｂ又はＣ）のどれがＨＳ−ＳＣＣＨ第２部分に用いられているかを示すことを示している。Ａは現在規定されている信号構造体（規定されたパラメータ，その値の範囲及び解釈，及びチャネル符号化を含む），Ｂは例えばＶｏＩＰ用に（上記のとおり）新規に規定された信号構造体，Ｃは例えば多搬送波送信用の新規に規定した信号構造体である。そしてＵＥが通常の（現在の仕様による）ＨＳ−ＳＣＣＨ送信と，ＶｏＩＰ送信と，多搬送波送信と，を受信することになっているときは，３つの異なるＵＥ ＩＤが１つのＵＥに割り当てられる。あるＵＥが通常の送信だけを受信するときは，ただ１つのＵＥ ＩＤが割り当てられる。
【００３４】
　本発明の別の実施例は，ＨＳ−ＳＣＣＨの仕様書に既に規定されているのと同一のフレーム構造（同一の値の範囲及び同一のチャネル符号化を有する同一のパラメータ）を用いるが，そのＵＥ ＩＤをある新規パラメータ値，例えば多搬送波システム用の搬送周波数，又はマルチストリームＭＩＭＯのストリームＩＤ，又は追加ＨＡＲＱプロセスＩＤを示すために用いることを含む。搬送周波数又はストリームＩＤの例は，新規パラメータであるが，一方追加ＨＡＲＱプロセスＩＤの例は既存パラメータの値範囲の拡張である。例えば４つの搬送波を有する多搬送波システムでは，各多搬送波ＵＥにＵＥ ＩＤが割り当てられる。そしてこのＵＥにデータを送信するためにどの搬送波又は帯域が利用されているかによって，対応するＵＥ ＩＤが用いられる。これは例えば明示的に行ってもよいし又は暗黙に行ってもよい。
【００３５】
　このように本発明の実施例は，現在規定されているＨＳ−ＳＣＣＨ用と同一のパラメータと，同一の値範囲と，同一のチャネル符号化と，を有する同一のフレーム構造を用いる。しかしある新規パラメータ値を示すためには，別のＵＥ ＩＤを用いる。
【００３６】
　Ａ）明示的方法（図３Ａ参照）
　図３Ａは高速搬送波指定のための実現例Ａを示す。ここでＤＬ搬送波帯域（Ａ（コア），Ｂ，Ｃ，又はＤ）は，ＨＳ−ＳＣＣＨが搬送する組み込み情報として明示的に示される。組み込み情報は，搬送周波数又は帯域を示すＵＥ ＩＤを示す。
【００３７】
　図３Ａにおいて，ＵＥ ＩＤ１は帯域Ｄを明示的に示し，ＵＥ ＩＤ２は帯域Ｃを明示的に示し，等々のために用いられる。この方法によれば，ある新規パラメータを送信するため，又はあるパラメータの値範囲を拡張するためにＨＳ−ＳＣＣＨフレーム構造を変更する必要はない。同時に，１つのＵＥに２以上のＵＥ ＩＤを割り当てることができ，それによって異なる送信時間間隔（ＴＴＩ）に用いる異なるパラメータに動的に変更することができる。
【００３８】
　このようにＤＬ ＨＳ−ＳＣＣＨは，周波数帯域（例えばＡ（コア），Ｂ，Ｃ，又はＤ）を明示的に示す情報をその中に組み込んで搬送する。ここでＵＥはＨＳ−ＰＤＳＣＨを受信する。ＵＥが組み込まれた情報を復号した後，コア搬送波とは異なるＤＬ搬送波上の信号の受信を開始することができる。この場合ＵＥ ＩＤは，ＨＳ−ＳＣＣＨが「多搬送波」構造を用いることを示すことができる。これは例えば，第１部分が変調情報及びチャネル化符号情報の代わりに搬送周波数情報を搬送することを意味する。これによってＵＥは，指示された周波数帯域（搬送波）のデータをバッファし始めることができるようになる。「多搬送波」構造は更に，第２部分が新規搬送波上のデータと共に送信されることを意味する。最大４つの搬送周波数があるときは，搬送周波数を示すために２ビットが必要である。したがって変調方式及びチャネル化符号集合用には６ビットだけが残される。残りのデータ搬送波（ＤＯ−ＤＳＣＨ＝データ専用ダウンリンク共有チャネル）が高ビット速度のためだけに割り当てられる（例えばただ１つの符号が使用され指示する必要がない）ときは，これで十分である。残りの可能性は，情報の一部をほかのパラメータと共に第２部分によって送信することである。また図３に示すように，すべてのＨＳ−ＳＣＣＨ情報をコア帯域で送信することもできる。そのときＵＥは，複数の帯域を同時に受信できる必要がある。コア帯域のＨＳ−ＳＣＣＨと，別の帯域のＤＯ−ＤＳＣＨと，データ送信に用いる帯域と，はＨＳ−ＳＣＣＨで用いるＵＥ ＩＤによって判定される。
【００３９】
　別の明示的信号通知方法を図３Ｂに示す。ここでは明示的なＤＬ搬送波パラメータがＨＳ−ＳＣＣＨの好ましくは第１部分に追加され，それはＤＯ−ＤＳＣＨより前に送信される。これによってＨＳ−ＳＣＣＨフレーム構造又はパラメータフィールドを変更する必要が生じる。変更したＨＳ−ＳＣＣＨフレーム構造は，例えばＲＲＣ信号通知によってＵＥに通知することができる。このようにこの場合はただ１つのＵＥ ＩＤがあればよい。ＵＥは通常ＨＳ−ＳＣＣＨチャネルを検出して復号し，ＵＥ ＩＤマスクに一致するＨＳ−ＳＣＣＨを見付けると，ＨＳ−ＳＣＣＨからパラメータを読み出す。ここでＨＳ−ＳＣＣＨで送信されるＤＬ搬送波用の新規パラメータは，データ送信又はデータ受信に用いる帯域を通知する。）
　上記記載及び図面並びに当業者の技術常識を考慮すると，
ａ　上記（ア）の【０００３】〜【００１０】の記載によれば，多搬送波を利用するためにＨＳ−ＳＣＣＨ信号構造体を変えることなく新規パラメータを通知する方法が記載されており，上記（ウ）の【００３４】によれば，「新規パラメータ値」には多搬送波システム用の搬送周波数等が含まれるものである。そして，上記（イ）の【００１７】によれば，ユーザ装置が，ＨＳ−ＳＣＣＨを監視し，ＨＳ−ＰＤＳＣＨ（高速物理ダウンリンク共有チャネル）から抽出したデジタルサンプルに含まれる情報を適切に処理できるようにすることが記載されているといえる。
　したがって，引用例には，「ユーザ装置において実行される，多搬送波を利用する方法」が記載されていると認められる。
ｂ　上記（イ）の【００１７】によれば，ＨＳ−ＳＣＣＨは，セルに存在する種々のユーザ装置（ＵＥ）が監視できるようにセル全体又はその一部に送信されるものであり，特定のＵＥについての制御情報は，４つの並行するＨＳ−ＳＣＣＨのうちただ１つに含まれ，ユーザ装置（ＵＥ）は，４つの可能性のあるチャネルの１つにおいてＵＥ識別子を検査することによって，自分にあてたＨＳ−ＳＣＣＨを見付けようとするものである。ここで，ＨＳ−ＳＣＣＨは，ダウンリンク（ＤＬ）の制御チャネルであることは明らかである。そして，ユーザ装置は，ＨＳ−ＳＣＣＨの第１部分で自分に唯一のＵＥ ＩＤを検出したときは，わずかに後から到着するＨＳ−ＰＤＳＣＨ（高速物理ダウンリンク共有チャネル）から抽出したデジタルサンプルに含まれる情報を適切に処理できるように，当該ＨＳ−ＳＣＣＨの第２部分を読み込む。
　そして，上記（ウ）の【００３８】の記載及び図３Ａによれば，自分にあてた制御情報が含まれる高速共有制御チャネル（ＨＳ−ＳＣＣＨ）はコア帯域のコア搬送波により搬送されることが例示されている。
　したがって，引用例には，「前記ユーザ装置により，自分にあてた制御情報が含まれるコア搬送波上の高速共有制御チャネル（ＨＳ−ＳＣＣＨ）を監視」することが記載されていると認められる。
ｃ　上記（エ）の【００１９】，上記（ウ）の【００３３】〜【００３５】の記載によれば，ユーザ装置には複数のＵＥ ＩＤが割り当てられており，ＵＥ ＩＤを多搬送波システム用の搬送周波数等を含む新規パラメータ値を示すために用い，ＵＥにデータを送信するためにどの搬送波又は帯域が利用されているかによって対応する別のＵＥ ＩＤが用いられるものである。そして，上記（ウ）の【００３６】の記載によれば，ＤＬ搬送波帯域（Ａ（コア），Ｂ，Ｃ，又はＤ）は，ＨＳ−ＳＣＣＨが搬送する組み込み情報である「搬送周波数又は帯域を示すＵＥ ＩＤ」として明示的に示されるものである。
　ここで，上記（ウ）の【００３８】によれば，最大４つの搬送周波数があるときは，搬送周波数を示すために２ビットが必要であることに鑑みれば，新規パラメータ値はデータを送信するために利用されている搬送周波数又は帯域を明示的に示す複数のビットを含んでいると解するのが自然である。
　また，上記（ウ）の【００３９】及び図３Ｂによれば，別の明示的信号通知方法として，明示的なＤＬ搬送波パラメータがＨＳ−ＳＣＣＨの好ましくは第１部分に追加されることが教示されており，多搬送波システム用の搬送周波数等を含む新規パラメータ値は，別のＵＥ ＩＤの他，明示的なＤＬ搬送波パラメータにより示すこともできるものといえる。
　そして，上記（ウ）の【００３８】によれば，ＵＥは，組み込まれた周波数帯域（例えばＡ（コア），Ｂ，Ｃ，又はＤ）を明示的に示す情報を復号した後，コア搬送波とは異なるＤＬ搬送波上の信号の受信を開始することができ，ＨＳ−ＰＤＳＣＨを受信するものである。
　したがって，引用例には，「コア搬送波とは異なるＤＬ搬送波上でデータを受信するために前記コア搬送波上の前記高速共有制御チャネル（ＨＳ−ＳＣＣＨ）を介して新規パラメータ値を受信し，ここで，前記新規パラメータ値は前記コア搬送波とは異なるＤＬ搬送波の搬送波周波数又は帯域を明示的に示す複数のビットを含む」こと，及び「前記受信した新規パラメータ値に応答して，前記コア搬送波とは異なるＤＬ搬送波上で前記データを受信する」ことが記載されていると認められる。
　以上を総合すると，引用例には以下の発明（以下，「引用発明」という。）が記載されていると認める。
「ユーザ装置において実行される，多搬送波を利用する方法であって，前記方法は，
　前記ユーザ装置により，自分にあてた制御情報が含まれるコア搬送波上の高速共有制御チャネル（ＨＳ−ＳＣＣＨ）を監視し，
　コア搬送波とは異なるＤＬ搬送波上でデータを受信するために前記コア搬送波上の前記高速共有制御チャネル（ＨＳ−ＳＣＣＨ）を介して新規パラメータ値を受信し，ここで，前記新規パラメータ値は前記コア搬送波とは異なるＤＬ搬送波の搬送波周波数又は帯域を明示的に示す複数のビットを含む，
　前記受信した新規パラメータ値に応答して，前記コア搬送波とは異なるＤＬ搬送波上で前記データを受信する，方法。」
［周知事項］
　本件の優先日前に利用可能となったQUALCOMM Europe，DC-HSDPA and CPC: Outstanding Issues（［当審仮訳］：ＤＣ−ＨＳＤＰＡ及びＣＰＣ：顕著な論点），3GPP TSG-RAN WG1#54 R1-082824，URL:http://www.3gpp.org/ftp/tsg_ra，（利用可能となった日：２００８年８月１２日）（以下，「周知例１」という。）には，図面とともに以下の事項が記載されている。
（エ）「
」（２／３ページ）
（［当審仮訳］：
　図１はＭＡＣベースのマネジメントの例を示している。補助キャリアはそれをイネーブルにする命令が受信されたときのみアクティブとなる。）
　原査定の拒絶の理由に引用されたNokia, Nokia Siemens Networks，L1 control signaling with carrier aggregation in LTE-Advanced （［当審仮訳］：ＬＴＥ−Ａｄｖａｎｃｅｄにおけるキャリア・アグリゲーションのＬ１制御信号），3GPP TSG-RAN WG1#54b R1-083730，URL:http://www.3gpp.org/ftp/tsg_ran/WG1_RL1/TSGR1_54b/Docs/R1-083730.zip，（利用可能となった日：２００８年９月２４日）（以下，「周知例２」という。）には，図面とともに以下の事項が記載されている。
（オ）「
」（２葉）
（［当審仮訳］：
（図１は省略）
図１：最初の主なアプローチは，各コンポーネントキャリアに対して個別のPDCCHを持つことである。これは，各PDCCHが対応するPDSCHと同一のコンポーネントキャリア上にあること（左），又はすべてのPDCCHは同じ「プライマリ」コンポーネントキャリア上にあること（右），のいずれかにアレンジすることができる。
（図２は省略）
図２：他の主なアプローチは，全帯域幅のリソース割当を知らせる一つの大きなPDCCHを有することである。再び２つのサブオプションが特定されている：ＵＥ／セルの「主要な」コンポーネントキャリアにPDCCHを送信する（左），又はすべてのコンポーネント・キャリア上に分配する（右）。）
　上記（エ），（オ）の記載及び図面によれば，ＤＣ−ＨＳＤＰＡやＬＴＥ−Ａｄｖａｎｃｅｄのキャリア・アグリゲーションなどの多重搬送波システムにおいて，各搬送波又は帯域毎に制御チャネル（ＨＳ−ＳＣＣＨ１，ＨＳ−ＳＣＣＨ２，ＰＤＣＣＨ）が存在することが見て取れる。
　したがって，「各搬送波又は帯域毎に制御チャネル及びデータチャネルを含む多重搬送波システム。」は周知であると認められる（以下，「周知技術１」という。）。
　原査定の拒絶の理由に引用されたHUAWEI，CQI reporting procedure for DC-HSDPA （［当審仮訳］：ＤＣ−ＨＳＤＰＡのためのＣＱＩ報告手続），3GPP TSG-RAN WG1#54b R1-083580，URL:http://www.3gpp.org/ftp/tsg_ran/WG1_RL1/TSGR1_54b/Docs/R1-083580.zip，（利用可能となった日：２００８年９月２４日）（以下，「周知例３」という。）には，図面とともに以下の事項が記載されている。
（カ）「
（中略）
」（１／４〜２／４ページ）
（［当審仮訳］：
　文献[1] では，もし二次サービングＨＳ−ＤＳＣＨセル・アクティブが０でなければ，ｋ＞２ｍｓ＊Ｎ＿ｃｑｉ＿ｔｒａｎｓｍｉｔに対して，ＵＥは以下の手続で両ＣＱＩをＨＳ−ＤＰＣＣＨ１上で送信する。
　ｋ＞２ｍｓ＊Ｎ＿ｃｑｉ＿ｔｒａｎｓｍｉｔに対して，ＵＥは二次サービングＨＳ−ＤＳＣＨセルに関連するＣＱＩ値を，サービングＨＳ−ＤＳＣＨセルに関連するＣＱＩ送信のためのタイミングに関連するＣＱＩ＿ｏｆｆｓｅｔ＿ｓｉｇｎ＊Ｎ＿ｃｑｉ＿ｔｒａｎｓｍｉｔサブフレームに等しいタイムオフセットで，[3] にてＨＳ−ＤＰＣＣＨ１と示される一次ＨＳ−ＤＰＣＣＨチャネル上で送信する。ここで，ＤＴＸ＿ＤＲＸ＿ＳＴＡＴＵＳがＴＲＵＥの場合，ＣＱＩ＿ｏｆｆｓｅｔ＿ｓｉｇｎ＝ｓｉｇｎ（τＤＲＸ−Ｔ０）であり，そうでなければＣＱＩ＿ｏｆｆｓｅｔ＿ｓｉｇｎ＝±１である。τＤＲＸは６Ｃ．３で定義される。
（中略）
　もしＣＱＩ送信がＤＰＣＣＨバーストパターン中に生じたら，送信されたＤＰＣＣＨスロットの数が異なる設定済みパラメータと異なることになる。例えば，Ｎ＿ｃｑｉ＿ｔｒａｎｓｍｉｔ＝１，ＤＰＣＣＨバースト長＝１，−１．５スロット＜τＤＲＸ−Ｔ０＜−０．５スロットのとき，異なるＣＱＩ＿ｏｆｆｓｅｔ＿ｓｉｇｎの実際のＤＰＣＣＨ送信は図１に示される。プリアンブル及びポストアンブルは含まれている。アンカーキャリアに関連するＣＱＩはＣＱＩ１と示され，二次キャリアに関連するＣＱＩはＣＱＩ２ｓと示される。
（図１は省略）
図１　ＤＰＣＣＨバースト中のＣＱＩ送信のためのＤＰＣＣＨ送信
　異なるパラメータを伴うこの場合におけるＣＱＩ送信のための正確な送信されたＤＰＣＣＨスロット番号を計算し，その結果は表１−２のとおりである。）
　本件の優先日前に利用可能となったEricsson, Huawei, Nokia, Nokia Siemens Networks, Philips, Qualcomm Europe，Introduction of Dual-Cell HSDPA Operation on Adjacent Carriers （［当審仮訳］：近隣のキャリアでのデュアルセルＨＳＤＰＡ操作の導入），3GPP TSG-RAN WG1#54 R1-083399，インターネット＜URL:http://www.3gpp.org/ftp/tsg_ra，（利用可能となった日：２００８年８月２２日）（以下，「周知例４」という。）には，図面とともに以下の事項が記載されている。
（キ）「
」（６〜７葉）
（［当審仮訳］：
6A.1.2.3CQI reporting procedure in case Secondary_Serving_HS-DSCH_Cell_Active is not 0
With the exception of the provisions of subclause 6A.3, the following shall apply when Secondary_Serving_HS-DSCH_Cell_Active is not 0:
For CQI transmissions corresponding to the serving HS-DSCH cell, the UE shall follow the CQI reporting procedure as defined in subclause 6A.1.2.1 and transmit the CQI value corresponding to the serving HS-DSCH cell on the primary HS-DPCCH channel, denoted by HS-DPCCH1 in [3].
For CQI transmissions corresponding to the secondary serving HS-DSCH cell, the UE shall perform the following:
1)The UE derives the CQI value as defined in subclause 6A.2.1.
2)For k = 0, the UE shall not transmit the CQI value.
For k = 2ms*N_cqi_transmit, the UE shall transmit the CQI value corresponding to the secondary serving HS-DSCH cell on a secondary HS-DPCCH channel, denoted by HS-DPCCH2 in [3], with the same timing as the CQI transmission corresponding to the serving HS-DSCH cell.
For k  2ms*N_cqi_transmit, the UE shall transmit the CQI value corresponding to the secondary serving HS-DSCH cell on the primary HS-DPCCH channel, denoted by HS-DPCCH1 in [3], with a time offset equal to CQI_offset_sign*N_cqi_transmit subframes relative to the timing for the CQI transmission corresponding to the serving HS-DSCH cell, where CQI_offset_sign = sign( ) in case DTX_DRX_STATUS is TRUE, where   is defined in 6C.3, otherwise CQI_offset_sign = +1.
3)The UE shall repeat the transmission of the CQI value derived in 1) over the next (N_cqi_transmit ? 1) consecutive HS-DPCCH sub frames in the slots respectively allocated to the CQI as defined in [1]. UE does not support the case of 0  k  4ms*N_cqi_transmit except when k = 2ms*N_cqi_transmit.
4)The UE shall not transmit the CQI in other subframes than those described in 2) and 3).
」（６〜７葉）
（［当審仮訳］：
６Ａ．１．２．３　二次サービングＨＳ−ＤＳＣＨセル・アクティブが０でない場合のＣＱＩ報告手続
　６Ａ．３節の規定を除き，二次サービングＨＳ−ＤＳＣＨセル・アクティブが０でない場合，以下を適用する。
　サービングＨＳ−ＤＳＣＨセルに関連するＣＱＩ送信のために，ＵＥは６Ａ１．２．１節に定義されたＣＱＩ報告手続に従い，サービングＨＳ−ＤＳＣＨセルに関連するＣＱＩ値を，[3] でＨＳ−ＤＰＣＣＨ１と示される一次ＨＳ−ＤＰＣＣＨチャネル上で送信する。
　二次サービングＨＳ−ＤＳＣＨセルに関連するＣＱＩ送信のため，ＵＥは以下を実行する。
１）ＵＥは６Ａ．２．１節で定義されたＣＱＩ値を得る。
２）ｋ＝０に対して，ＵＥはＣＱＩ値を送信しない。
　ｋ＝２ｍｓ＊Ｎ＿ｃｑｉ＿ｔｒａｎｓｍｉｔに対して，ＵＥは二次サービングＨＳ−ＤＳＣＨセルに関連するＣＱＩ値を，サービングＨＳ−ＤＳＣＨセルに関連するＣＱＩ送信と同じタイミングで，[3] にてＨＳ−ＤＰＣＣＨ２と示される二次ＨＳ−ＤＰＣＣＨチャネル上で送信する。
　ｋ＞２ｍｓ＊Ｎ＿ｃｑｉ＿ｔｒａｎｓｍｉｔに対して，ＵＥは二次サービングＨＳ−ＤＳＣＨセルに関連するＣＱＩ値を，サービングＨＳ−ＤＳＣＨセルに関連するＣＱＩ送信のためのタイミングに関連するＣＱＩ＿ｏｆｆｓｅｔ＿ｓｉｇｎ＊Ｎ＿ｃｑｉ＿ｔｒａｎｓｍｉｔサブフレームに等しいタイムオフセットで，[3] にてＨＳ−ＤＰＣＣＨ１と示される一次ＨＳ−ＤＰＣＣＨチャネル上で送信する。ここで，ＤＴＸ＿ＤＲＸ＿ＳＴＡＴＵＳがＴＲＵＥの場合，ＣＱＩ＿ｏｆｆｓｅｔ＿ｓｉｇｎ＝ｓｉｇｎ（τＤＲＸ−Ｔ０）であり，そうでなければＣＱＩ＿ｏｆｆｓｅｔ＿ｓｉｇｎ＝±１である。τＤＲＸは６Ｃ．３で定義される。
３）ＵＥは１）で得られたＣＱＩ値の送信を，[1] で定義されたＣＱＩに対して各々割り当てられたスロットにおける次の（Ｎ＿ｃｑｉ＿ｔｒａｎｓｍｉｔ−１）個の連続したＨＳ＝ＤＰＣＣＨサブフレームにわたって繰り返す。ＵＥは，ｋ＝２ｍｓ＊Ｎ＿ｃｑｉ＿ｔｒａｎｓｍｉｔのときを除く０＜ｋ＜４ｍｓ＊Ｎ＿ｃｑｉの場合をサポートしない。
４）ＵＥは上記２），３）に述べたサブフレーム以外ではＣＱＩを送信しない。）
　本件の優先日前に公開された特表２００８−５３８０６１号公報には，「無線通信における高速データ伝送のための方法及び装置」（以下，「周知例５」という。）に関し，図面とともに以下の事項が記載されている。
（ク）「【０００６】
　伝送能力を大幅に向上させるために順方向及びまたは逆方向回線上で多元キャリアを利用する技術をここに述べる。これらの技術は，例えば，ｃｄｍａ２０００といった様々な無線通信システムのために使用される。これらの技術は単一キャリア動作のために設計された既存のチャネル構造の比較的小変更によって様々な便益を提供する。
【０００７】
　本発明の実施例に従って，少なくとも一つのプロセッサ及びメモリを含む装置を述べる。プロセッサは多元順方向回線（forward link：ＦＬ）キャリア及び少なくとも一つの逆方向回線（reverse link：ＲＬ）キャリアの割当を受ける。その後，プロセッサは一以上の多元ＦＬキャリア上でデータ伝送を受取る。
【０００８】
　別の実施例によって，多元ＦＬキャリア及び少なくとも一つのＲＬキャリアの割当を受ける方法が提供される。データ伝送は一以上の多元ＦＬキャリア上で受取られる。
（中略）
【００５１】
　２．Ｒ-ＣＱＩＣＨ
　さらに別の形態において， 多元ＦＬキャリアに関するＣＱＩフィードバックに対応する新Ｒ-ＣＱＩＣＨ構造を述べる。図３に示したように，単一ＲＬキャリア上で伝送している間に，端末は或る群における多元ＦＬキャリアを監視している。これらの多元ＦＬキャリアは異なるチャネル条件（例えば，異なるフェージング特性）を観測し，そして端末において異なる受信信号品質を得る。システムがデータを送るために適切なＦＬキャリアを各選択ＦＬキャリアに適した速度と同様に選択できるように，端末はできる限り多数の割当ＦＬキャリアにＣＱＩフィードバックを提供することが望ましい。システム構成が単一ＲＬキャリアを含むならば，端末は単一ＲＬキャリアを経由して単一Ｒ−ＣＱＩＣＨ上で全てのＦＬキャリアについてＣＱＩフィードバックを送る。一つまたは多元ＦＬキャリアについてＣＱＩフィードバックを搬送する能力をもつＲ-ＣＱＩＣＨが設計される。
（中略）
【００５５】
　新Ｒ−ＣＱＩＣＨ構造は一つまたは多元ＦＬキャリアについて完全及び差分モードに対応することができる。実施例では，
群中の異なるＦＬキャリアに関する完全ＣＱＩ通報はＴＤＭ方法においては異なるスロットで送られる
　上記（カ）〜（ク）の記載によれば，ＤＣ−ＨＳＤＰＡなどの多重搬送波システムにおいて，１つのアップリンク搬送波（主ＨＳ−ＤＰＣＣＨ，単一Ｒ−ＣＱＩＣＨ）上で，それぞれのダウンリンク搬送波に対するＣＱＩ報告を異なるタイミングにて行うことが見て取れる。そして，上記カには，CQI1をsubframe2で報告するのに対し，CQI2をsubframe1又はsubframe3で報告すること，すなわち異なるサブフレームで報告することが示されている。
　したがって，「多重搬送波システムにおいて，それぞれのダウンリンク搬送波に対するＣＱＩ報告を，異なるサブフレームなどの異なるタイミングで行う。」ことは周知であると認められる（以下，「周知技術２」という。）。
ウ　対比・判断
　補正後の発明と引用発明とを対比すると，
（ア）引用発明の「ユーザ装置」は，引用例の図１Ｂから明らかなようにTRANSMITTER MODULE（送信器モジュール）及びRECEIVER MODULE（受信器モジュール）を含むから，補正後の発明の「無線送受信装置（ＷＴＲＵ）」に相当する。また，補正後の発明の「多重搬送波」と引用発明の「多搬送波」とは，表現は異なるが実質的な差異はない。
（イ）引用発明の「コア搬送波」を「第１のダウンリンク搬送波」と称し，「コア搬送波とは異なるＤＬ搬送波」を「第２のダウンリンク搬送波」と称することは任意である。また，引用発明の「高速共有制御チャネル（ＨＳ−ＳＣＣＨ）」は，明らかに「制御チャネル」といえる。
　したがって，引用発明の「前記ユーザ装置により，自分にあてた制御情報が含まれるコア搬送波上の高速共有制御チャネル（ＨＳ−ＳＣＣＨ）を監視し」は，補正後の発明の「前記ＷＴＲＵを介して，第１のダウンリンク搬送波上の制御チャネルを監視するステップ」に相当する。
（ウ）引用発明の「新規パラメータ値」は，データが送信されるＤＬ搬送波の搬送波周波数又は帯域を明示的に示す複数のビットを含むから，補正後の発明の「第２のダウンリンク搬送波の搬送波番号を明示的に示す複数のビットを含」む「メッセージ」に相当する。
　したがって，補正後の発明の「第２のダウンリンク搬送波上でデータを受信するために前記第１のダウンリンク搬送波上の前記制御チャネルを介してメッセージを受信するステップであって，前記第２のダウンリンク搬送波は制御チャネルを含み，前記メッセージは前記第２のダウンリンク搬送波の搬送波番号を明示的に示す複数のビットを含み，前記第１のダウンリンク搬送波および前記第２のダウンリンク搬送波は，ＣＱＩ報告に対する異なるサブフレーム設定により特徴付けられる，ステップ」と，引用発明の「コア搬送波とは異なるＤＬ搬送波上でデータを受信するために前記コア搬送波上の前記高速共有制御チャネル（ＨＳ−ＳＣＣＨ）を介して新規パラメータ値を受信し，ここで，前記新規パラメータ値は前記コア搬送波とは異なるＤＬ搬送波の搬送波周波数又は帯域を明示的に示す複数のビットを含む，」とは，以下の相違点１，２は別として，「第２のダウンリンク搬送波上でデータを受信するために前記第１のダウンリンク搬送波上の前記制御チャネルを介してメッセージを受信するステップであって，前記メッセージは前記第２のダウンリンク搬送波の搬送波番号を明示的に示す複数のビットを含む，ステップ」の点で共通している。
（エ）引用発明の「前記受信した新規パラメータ値に応答して，前記コア搬送波とは異なるＤＬ搬送波上で前記データを受信する」は，補正後の発明の「前記第２のダウンリンク搬送波上で前記データを受信するステップ」に相当する。
　以上を総合すると，補正後の発明と引用発明とは，以下の点で一致し，また，相違している。
（一致点）
「無線送受信装置（ＷＴＲＵ）において実行される，多重搬送波を利用する方法であって，前記方法は，
　前記ＷＴＲＵを介して，第１のダウンリンク搬送波上の制御チャネルを監視するステップと，
　第２のダウンリンク搬送波上でデータを受信するために前記第１のダウンリンク搬送波上の前記制御チャネルを介してメッセージを受信するステップであって，前記メッセージは前記第２のダウンリンク搬送波の搬送波番号を明示的に示す複数のビットを含む，ステップと，
　前記第２のダウンリンク搬送波上で前記データを受信するステップと
　を備えたことを特徴とする方法。」
（相違点１）一致点の「第２のダウンリンク搬送波」に関し，補正後の発明は「前記第２のダウンリンク搬送波は制御チャネルを含み」との特定がなされているに対し，引用発明は当該事項が明らかにされていない点。
（相違点２）一致点の「第１のダウンリンク搬送波」及び「第２のダウンリンク搬送波」に関し，補正後の発明は「前記第１のダウンリンク搬送波および前記第２のダウンリンク搬送波は，ＣＱＩ報告に対する異なるサブフレーム設定により特徴付けられる」との特定がなされているのに対し，引用発明には当該事項が明らかにされていない点。
（相違点３）
　補正後の発明は更に「前記受信したメッセージに応答して，前記第２のダウンリンク搬送波上で前記データを受信することを決定するステップ」なる構成を有しているのに対し，引用発明は当該構成が明らかにされていない点。
　以下，上記各相違点について検討する。
（相違点１について）
　周知技術１のとおり，「各搬送波又は帯域毎に制御チャネル及びデータチャネルを含む多重搬送波システム。」は周知であるから，引用発明においても，コア搬送波とは異なるＤＬ搬送波が制御チャネルを含むようにすることは，適宜なし得ることに過ぎない。そして，補正後の発明は，補正後の発明において「第２のダウンリンク搬送波」の「制御チャネル」がどのように機能するのか何ら特定していないから，相違点１による特段の作用効果も認められない。
（相違点２について）
　引用例の【００１７】にはチャネル品質指示子（ＣＱＩ）信号の返送が言及されており（上記イ［引用発明］（イ）参照。），周知技術２のとおり「多重搬送波システムにおいて，それぞれのダウンリンク搬送波に対するＣＱＩ報告を，異なるサブフレームなどの異なるタイミングで行う。」ことは周知であるから，引用発明において，異なる搬送波のＣＱＩ報告を異なるサブフレームにて行うようにすることは適宜なし得ることである。すなわち，相違点２は当業者が容易になし得ることに過ぎない。
（相違点３について）
　引用例には明記されていないが，引用発明は「前記受信した新規パラメータ値に応答して，前記コア搬送波とは異なるＤＬ搬送波上で前記データを受信する」のであるから，受信した新規パラメータ値に応答してデータを受信すべきＤＬ搬送波を特定していることは明らかであり，実質的な相違は無い。或いは，「前記受信したメッセージに応答して，前記第２のダウンリンク搬送波上で前記データを受信することを決定するステップ」をさらに設けることは当業者が容易になし得ることに過ぎない。
　そして，補正後の発明の作用効果も，引用発明及び周知事項に基づいて当業者が予測できる範囲のものである。
（なお，請求人は，平成２８年２月２４日提出の上申書にて，引用例の７ページ１３行目，８ページの４〜２２行目の記載を挙げて，引用例における「ＵＥ　ＩＤ」は，本発明における「第２のダウンリンク搬送波の搬送波番号を明示的に示す複数のビット」とは完全に異なる機能を実行するためのものである旨主張している。しかしながら，引用例は，従来はユーザ装置当たりただ１つのＵＥ ＩＤだけが割り当てられていた（【０００６】）のを複数のＵＥ ＩＤを割り当てるようにし（【００３３】），データを送信するために使用されている搬送波又は帯域を明示的に示す新規パラメータ値を「別のＵＥ　ＩＤ」又はＤＬ搬送波パラメータにより示す（【００３４】〜【００３９】）ことを開示しているから，上記主張は採用できない。
　また，請求人は，引用文献４（周知例３），引用文献５（周知例１）にはクロスキャリアスケジューリングについては一切開示も示唆もされていない旨主張しているが，補正後の発明にはクロスキャリアスケジューリングについて何ら規定されていないから，当該主張は採用できない。）
　以上のとおり，補正後の発明は，引用発明及び周知事項に基づいて当業者が容易に発明をすることができたものであるから，特許法第２９条第２項の規定により特許出願の際独立して特許を受けることができないものである。
３　結語
　したがって，本件補正は，特許法第１７条の２第６項において準用する同法第１２６条第７項の規定に違反するので，同法第１５９条第１項の規定において読み替えて準用する同法第５３条第１項の規定により却下すべきものである。
第３　本願発明について
１　本願発明
　平成２７年９月１４日付けの手続補正は上記のとおり却下されたので，本願発明は，上記「第２　補正却下の決定」の項中の「１　本願発明と補正後の発明」の項の「本願発明」のとおりのものと認める。
２　引用発明
　引用発明及び周知事項は，上記「第２　補正却下の決定」の項中の「２　補正の適否」の項中の「（２）独立特許要件」の項中の「イ　引用発明及び周知事項」の項で認定したとおりである。
３　対比・判断
　そこで，本願発明と引用発明とを対比するに，本願発明は補正後の発明から当該補正に係る限定を省いたものである。
　そうすると，本願発明の構成に当該補正に係る限定を付加した補正後の発明が，上記「第２　補正却下の決定」の項中の「２　補正の適否」の項中の「（２）独立特許要件」の項中の「ウ　対比・判断」の項で検討したとおり，引用発明及び周知事項に基づいて容易に発明できたものであるから，本願発明も同様の理由により，容易に発明できたものである。
４　むすび
　以上のとおり，本願発明は，引用発明及び周知事項に基づいて当業者が容易に発明をすることができたものであるから，特許法第２９条第２項の規定により，特許を受けることができない。
　よって，結論のとおり審決する。